(57)【要約】【課題】現在映像を表示するウィンドウ状態を維持しまま過去の映像を再生できるようにすること。【解決手段】本発明は、ネットワークＮに接続されたカメラ１０と、カメラ１０で取り込んだ映像をネットワークＮを介して記録するＨＤＤ２３と、カメラ１０で取り込んだ映像を表示するモニタ３０と、カメラ１０で取り込んだ現在の映像もしくはＨＤＤ２３に記録された過去の映像をモニタ３０に表示させる制御を行う制御手段とを備える映像監視システムにおいて、モニタ３０のウィンドウに現在の映像を表示している状態で、過去の映像の表示を指定された場合、そのウィンドウの表示状態を維持したまま指定された過去の映像をそのウィンドウに表示する制御を制御手段で行うものである。【選択図】図１
2007243267.tif 000002
【特許請求の範囲】
【請求項１】
ネットワークに接続されたカメラと、
前記カメラで取り込んだ映像を前記ネットワークを介して記録する記録手段と、
前記カメラで取り込んだ映像を表示する表示手段と、
前記カメラで取り込んだ現在の映像もしくは前記記録手段に記録された過去の映像を前記表示手段に表示させる制御を行う制御手段とを備える映像監視システムにおいて、
前記制御手段は、前記表示手段のウィンドウに現在の映像を表示している状態で、過去の映像の表示を指定された場合、当該ウィンドウの表示状態を維持したまま指定された前記過去の映像を当該ウィンドウに表示する制御を行う
ことを特徴とする映像監視システム。
【請求項２】
前記表示手段の複数のウィンドウに複数のカメラで取り込んだ各々の映像が並んで表示されており、この状態で１つ以上のカメラの映像について過去の映像の表示を指定された場合、
前記制御手段は、前記表示手段の複数のウィンドウの表示状態を維持したまま指定された前記１つ以上のカメラの映像を表示するウィンドウに対応するカメラで取り込んだ過去の映像を当該ウィンドウに表示する制御を行う
ことを特徴とする請求項１記載の映像監視システム。
【請求項３】
前記制御手段は、前記表示手段のウィンドウの表示状態を維持したまま過去の映像を指定するための日時指定入力ボックスを前記表示手段に表示する制御を行う
ことを特徴とする請求項１記載の映像監視システム。
【請求項４】
前記制御手段は、前記過去の映像の指定を受け付けるにあたり、前記１つの以上のカメラの映像を表示するウィンドウの選択に対して１つの共通の日時指定を受け付ける
ことを特徴とする請求項２記載の映像監視システム。
【請求項５】
ネットワークに接続されたカメラと、
前記カメラで取り込んだ映像を前記ネットワークを介して記録する記録手段と、
前記カメラで取り込んだ映像を表示する表示手段と、
前記カメラで取り込んだ現在の映像もしくは前記記録手段に記録された過去の映像を前記表示手段に表示させる制御を行う制御手段とを備える映像監視システムで実行される映像監視プログラムにおいて、
前記制御手段によるプログラム制御によって前記表示手段のウィンドウに現在の映像を表示している状態で、過去の映像の表示を指定された場合、当該ウィンドウの表示状態を維持したまま指定された前記過去の映像を当該ウィンドウに表示する処理を行う
ことを特徴とする映像監視プログラム。
【請求項６】
前記表示手段の複数のウィンドウに複数のカメラで取り込んだ各々の映像が並んで表示されており、この状態で１つ以上のカメラの映像について過去の映像の表示を指定された場合、
前記制御手段によるプログラム制御によって、前記表示手段の複数のウィンドウの表示状態を維持したまま指定された前記１つ以上のカメラの映像を表示するウィンドウに対応するカメラで取り込んだ過去の映像を当該ウィンドウに表示する処理を行う
ことを特徴とする請求項５記載の映像監視プログラム。
【請求項７】
前記制御手段によるプログラム制御によって、前記表示手段のウィンドウの表示状態を維持したまま過去の映像を指定するための日時指定入力ボックスを表示する処理を行う
ことを特徴とする請求項５記載の映像監視プログラム。
【請求項８】
前記制御手段によるプログラム制御によって前記過去の映像の指定を受け付けるにあたり、前記１つの以上のカメラの映像を表示するウィンドウの選択に対して１つの共通の日時指定を受け付ける
ことを特徴とする請求項６記載の映像監視プログラム。
【発明の詳細な説明】
【技術分野】
【０００１】
本発明は、ネットワークに接続されたカメラの映像を表示するとともに、取り込んだ映像を記録して再生することができる映像監視システムおよび映像監視プログラムに関する。
【背景技術】
【０００２】
映像監視システムは、例えば複数台のカメラで取り込んだ映像をモニタに分割表示して同時に各所の映像を１箇所で監視したり、取り込んだ映像を記録しておき、必要に応じて過去の映像を再生するシステムである。近年では、セキュリティ向上の観点から銀行やコンビニエンスストア等の店舗内外での映像監視にとどまらず、一般会社や駐車場、街頭や学校、マンションや個人宅といった様々な場所で映像監視が実施されるようになっている（例えば、特許文献１、２参照。）。
【０００３】
一方、映像を取り込むカメラの高性能化、低価格化や記録媒体の大容量、低価格化とともにネットワークの発達から、複数台のカメラをネットワークに接続し、ネットワーク経由で送られる映像の表示や蓄積、再生を管理するネットワーク対応型の映像監視システムの登場している。
【０００４】
【特許文献１】特開２００１−３０９３６８号公報
【特許文献２】特開平１０−３３６６３１号公報
【発明の開示】
【発明が解決しようとする課題】
【０００５】
ここで、映像監視システムにおいてカメラで取り込んだ映像を表示している状態で、過去の映像を読み出して再生しようとする場合、従来の映像監視システムではカメラの指定とともに過去の日時を指定して映像をデータベース（記憶媒体）から検索する処理が必要となる。この際、検索のために現在表示している映像のウィンドウとは別に検索条件指定用のウィンドウがポップアップ表示され、この検索条件指定用のウィンドウでカメラの指定や再生した過去の日時を指定している。このように、検索条件指定用のウィンドウが別途表示されるため、検索指定の際には現在の映像表示の邪魔になってしまうという問題が生じる。
【課題を解決するための手段】
【０００６】
本発明はこのような課題を解決するために成されたものである。すなわち、本発明は、ネットワークに接続されたカメラと、カメラで取り込んだ映像をネットワークを介して記録する記録手段と、カメラで取り込んだ映像を表示する表示手段と、カメラで取り込んだ現在の映像もしくは記録手段に記録された過去の映像を表示手段に表示させる制御を行う制御手段とを備える映像監視システムにおいて、表示手段のウィンドウに現在の映像を表示している状態で、過去の映像の表示を指定された場合、そのウィンドウの表示状態を維持したまま指定された過去の映像をそのウィンドウに表示する制御を制御手段で行うものである。
【０００７】
また、本発明は、上記映像監視システムで実行される映像監視プログラムであり、制御手段によるプログラム制御によって表示手段のウィンドウに現在の映像を表示している状態で、過去の映像の表示を指定された場合、そのウィンドウの表示状態を維持したまま指定された過去の映像をそのウィンドウに表示するものである。
【０００８】
このような本発明では、表示手段のウィンドウに現在の映像を表示している状態で、そのウィンドウの表示状態を維持したまま指定された過去の映像をそのウィンドウに表示するため、過去の映像を検索、表示する際にもウィンドウレイアウトを変えることなく操作できるようになる。
【発明の効果】
【０００９】
したがって、本発明によれば、現在撮影している映像を表示するウィンドウ状態のまま、所望の過去の画像を参照することができ、画面状態を切り替える必要がなく、現在映像の監視を継続しながら過去の映像を再生することが可能となる。
【発明を実施するための最良の形態】
【００１０】
以下、本発明の実施の形態を図に基づき説明する。図１は、本実施形態に係る映像監視システムの構成を示す模式図、図２は、本実施形態に係る映像監視プログラムの構成を示す模式図である。
【００１１】
図１に示すように、本実施形態に係る映像監視システムは、ネットワークＮに接続されたカメラ１０（複数台接続されている場合もある）と、同じネットワークＮに接続された監視装置２０と、監視装置２０に接続されたモニタ（表示手段）３０とを備えている。この映像監視システムにおいては、カメラ１０で取り込んだ映像を所定のデータ形式（例えば、ＪＰＥＧ（Joint Photographic Experts Group）やＭＰＥＧ−４（Moving Picture Experts Group phase 4））によってネットワークＮを介して監視装置２０に送り、監視装置２０に接続されたモニタ３０で現在の映像を表示したり、送られた映像を監視装置２０に設けられた記憶手段であるＨＤＤ（ハードディスクドライブ）２３に記録することができる。また、ＨＤＤ２３に記録された過去の映像を検索し、再生することもできる。
【００１２】
監視装置２０は、ネットワークＮを介してカメラ１０から送られる映像を管理するため、映像監視プログラムを実行する制御手段となるＣＰＵ２１と、画像処理等を行う際の作業エリアとして利用されるＲＡＭ（Random Access Memory）等のメモリ２２と、カメラ１０から送られる映像を逐次格納していく記憶手段であるＨＤＤ２３とを備えている。また、監視装置２０にはモニタ３０を接続するモニタインタフェース２４と、ジョイスティックや増設ＨＤＤ等の外部機器を接続するための外部機器インタフェース２５と、ネットワークＮとの入出力を行うネットワークインタフェース２６とを備えている。
【００１３】
ＣＰＵ２１で実行される映像監視プログラムは、図２に示すようにオペレーティングシステム１００の上で実行される記録サーバ部１０１と、ＧＵＩ（Graphical User Interface）制御部１０２とから構成される。記録サーバ部１０１は、カメラ１０から送られる映像をカメラ識別番号や記録日時、圧縮形式とともに管理してＨＤＤ２３に記録し、映像データベースを構築する処理を行う。また、記録サーバ部１０１は、ユーザの指示に基づきＨＤＤ２３から過去の映像を検索して読み出し、再生する処理も行う。
【００１４】
ＧＵＩ制御部１０２は、モニタ３０（図１参照）に映像を表示するためのウィンドウ制御や、ウィンドウへの映像割り当て、ウィンドウへの各種制御ボタン（アイコン）の表示制御、マウスやキーボード、機能ボタン、ジョイスティック等の入力手段の操作によって行われるユーザから指示の受け付けを制御する部分である。
【００１５】
このようなシステム構成およびプログラム構成によって、カメラ１０で取り込んだ映像はネットワークＮを介して監視装置２０に送られ、モニタ３０に表示される。複数台のカメラ１０が接続されている場合には、各カメラ１０で取り込んだ映像を各々ウィンドウに表示し、複数のウィンドウをモニタ３０上に並べて表示したり、特定のカメラ１０のウィンドウのみをモニタ３０の全面に表示したり、カメラ１０がパン・チルト・ズームに対応している場合にはユーザのコントロールによってカメラ１０をパン・チルト・ズームしてその映像を表示することができる。
【００１６】
カメラ１０で取り込んだ映像は順次ＨＤＤ２３に記録され、映像データベースが構築される。ＨＤＤ２３に映像データベースが構築されると、監視装置２０から映像データベースにアクセスして所望の映像を読み出すことができるとともに、監視装置２０もネットワーク接続されていることから、同じネットワークに接続された外部のパーソナルコンピュータ等から映像データベースにアクセスして所望の映像を参照することもできる。
【００１７】
本実施形態の映像監視システムにでは、このような映像の表示および再生を行うにあたり、カメラ１０で取り込んだ現在の映像をモニタ３０に表示している状態で、ユーザによって過去の映像の再生を指定された場合、その表示状態を維持したまま過去の映像表示を行うことができる点に特徴がある。
【００１８】
すなわち、あるカメラ１０で取り込んだ現在の映像が特定のウィンドウに表示されている場合、ユーザはそのウィンドウによる映像表示の状態を妨げられることなく過去の映像の検索（例えば、日時指定）を行い、映像再生の指示によってそのウィンドウの映像表示が指定した過去の映像再生に切り替わることになる。これによって、ユーザは、現在の映像を参照しつつ過去の映像検索を行い、再生指定することで現在の映像が表示されているウィンドウに過去の映像を表示できるようになる。
【００１９】
このような表示制御は図２に示すＧＵＩ制御部１０２のプログラム制御によって実現され、特に複数のカメラからの映像を複数のウィンドウに並べて表示させる場合に有効となる。図３は、複数のカメラによって取り込んだ映像のモニタへの表示例を示す図である。複数のカメラで取り込んだ映像は各々のウィンドウに表示され、例えば縦横に並べられている。図３の例では３×３の合計９個のウィンドウが表示され、各々別個のカメラの映像が表示されている。つまり、合計９台のカメラの映像を同時に参照できる状態となっている。なお、このウィンドウの表示個数やレイアウトはユーザの選択によって種々切り替えられるようになっている。
【００２０】
映像を表示するウィンドウの上側には画面切り替え用のボタンと機能選択用のボタンとが設けられている。ここで、画面切り替え用のボタンは、全体ウィンドウに表示させる内容を選択するボタンであり、カメラの映像を表示する場合には「Ｍｏｎｉｔｏｒｉｎｇ」ボタン、基本設定を行う場合には「Ｃｏｎｆｉｇｕｒａｔｉｏｎ」、システム設定を行う場合には「Ｓｙｓｔｅｍ」ボタンを選択する。
【００２１】
機能選択用ボタンは、カメラの映像を外部の記録メディアに出力する「Ｅｘｐｏｒｔ」ボタン、選択したウィンドウの表示を全画面表示する「Ｆｕｌｌ  Ｓｃｒｅｅｎ」ボタン、複数のウィンドウのレイアウト（３×３や２×２などのレイアウト）を選択する「Ｍｏｎｉｔｏｒ  Ｗｉｎｄｏｗ」ボタン、画面切り替えを自動的に行うモニターシーケンスの開始・停止を指定する「Ｓｅｑｕｅｎｃｅ」ボタンから成る。
【００２２】
全体ウィンドウの下側には映像表示ウィンドウの状態（現在映像表示／過去映像再生）の切り替えを行うボタンと再生記録動作を操作するボタン、カメラ選択用のボタン、音量設定のためのスライドバー、過去の映像を検索するための日時指定用ボックスが設けられている。
【００２３】
また、全体ウィンドウの右側にはオプションウィンドウが表示されている。オプションウィンドウとしては、ウィンドウ切り替えボタンによって、「カメラコントロール」、「記録中カメラ一覧」、「記録画像リスト」、「システムログ」、「アラーム出力状況一覧」、「センサー入力状況一覧」、「動体検知状況一覧」、「マニュアルトリガー」を選択することができる。
【００２４】
「カメラコントロール」を選択すると、指定したウィンドウのパンやチルト、ズームやフォーカス、ブライトネス等のカメラ機能を制御するウィンドウ表示に切り替わる。また、「記録中カメラ一覧」を選択すると、撮影が実行されているカメラの一覧がオプションウィンドウに表示される。記録画像リストを選択すると、最近の記録画像の一覧がオプションウィンドウに表示される。
【００２５】
「アラームログ」を選択すると、アラームに関するログがオプションウィンドウに表示される。「システムログ」を選択すると、システム情報やエラーに関するログがオプションウィンドウに表示される。「アラーム出力状況一覧」を選択すると、現在のアラーム出力の状況がオプションウィンドウに表示される。「センサー入力状況一覧」を選択すると、現在のセンサー入力の状況がオプションウィンドウに表示される。
【００２６】
「動体検知状況一覧」を選択すると、現在の動体検知情報がオプションウィンドウに表示される。「マニュアルトリガー」を選択すると、手動で起動できるアクションがオプションウィンドウに表示される。
【００２７】
あるウィンドウにどのカメラの映像を表示させるかは、ユーザの指定によって自由に切り替えることができる。すなわち、ユーザが、ウィンドウを指定した状態でカメラ選択用のボタンから所望のカメラを選択すると、選択したカメラの映像が指定したウィンドウに表示される。
【００２８】
また、映像が表示されているウィンドウを指定した状態でオプションウィンドウにカメラコントロールを表示し、例えば矢印ボタンを選択すると、そのウィンドウに映像を送っているカメラのパン、チルトを行ったり、ズームボタンを選択して映像のズームイン、ズームアウトを指定することができる。
【００２９】
また、過去に取り込んだ映像を参照するには、過去の映像を参照したいカメラの現在の映像が表示されているウィンドウを選択し、日時指定用ボックスに参照した過去の日時を入力する。本実施形態では、日時指定用ボックスが全体ウィンドウの右下に表示されており、映像を表示するウィンドウの表示状態を維持したまま日時指定を行うことができる。
【００３０】
ここで、過去の映像を参照したいカメラに対応したウィンドウは複数同時に指定することもできる。複数のウィンドウを指定した場合でも日時指定のボックスは一つであり、複数のウィンドウに対して１つの共通の日時設定を受け付けることができる。
【００３１】
本実施形態の映像監視システムでは、ウィンドウに現在の映像を表示している状態で、上記日時指定のボックスに所望の日時を入力して過去の映像表示を指定した場合、ウィンドウの表示状態を維持したまま過去の映像を同一のウィンドウに表示できるようになっている。
【００３２】
つまり、従来の映像監視システムにおいて過去の映像を表示するには、現在のウィンドウとは別個のウィンドウをポップアップ表示して日時の指定を受け付けた後、そのウィンドウ内に過去の映像を表示している。このため、現在の映像を表示しているウィンドウの上に過去の映像を表示するためのウィンドウが重なってしまい、日時の指定や過去の映像を表示する際には現在の映像を表示するウィンドウの全部もしくは一部が隠されてしまうことになる。
【００３３】
これに対し、本実施形態では、現在の映像を表示しているウィンドウの状態（ウィンドウレイアウト）を維持したまま、過去の日時を指定できるとともに、現在の映像を表示しているウィンドウを利用して過去の映像に切り替え表示するため、別途ウィンドウが重なって表示されることはない。
【００３４】
具体的には、例えば３×３の９つのウィンドウによって合計９台のカメラの現在の映像が写し出されている状態で、過去の映像を参照したいカメラの映像が表示されているウィンドウを指定し、この状態で全体ウィンドウの右下にある日時指定のボックスに参照したい日時を入力する。日時指定を行っている間は上記指定したウィンドウを含む全てのウィンドウには現在の映像が写し出されているため、日時指定のためにウィンドウが隠されてしまうことはない。
【００３５】
次に、日時指定のボックスの横にある「ＧＯ」ボタンを押下すると、上記指定したウィンドウの映像が、各々のカメラで撮影した過去の映像に切り替わって表示される。すなわち、所定のカメラで取り込んだ現在映像を表示しているウィンドウと同じウィンドウにそのカメラで過去に撮影した映像が表示されることになる。このような表示制御によって、ユーザは、過去の日時を指定する間は現在の映像を参照することができ、日時を指定して「ＧＯ」ボタンを押下した段階で、指定したウィンドウのカメラによる指定日時の過去の映像を同じウィンドウに切り替え表示できることになる。
【００３６】
日時指定および過去の映像表示とも同じウィンドウの表示状態を維持して行われるため、ユーザは別のウィンドウに邪魔されることなく指定したウィンドウでは過去の映像を参照できると同時に、他のウィンドウでは現在映像を参照できるようになる。
【００３７】
過去の映像参照を終了して現在の映像表示に戻す場合は、全体ウィンドウの左下にある映像表示ウィンドウの状態（現在映像表示「ＬＩＶＥ」／過去映像再生「ＰＬＡＹＢＡＣＫ」）の切り替えを行うボタンのうち「ＬＩＶＥ」ボタンを押下する。これによって、過去の映像を再生してウィンドウの表示が現在映像の表示に切り替わることになる。
【００３８】
上記のような画面表示制御によれば、ウィンドウの表示レイアウトを維持したまま、指定された過去の映像をそのウィンドウに表示でき、過去の映像を検索、表示する際にもウィンドウレイアウトを変えることなく操作できるようになる。このため、ユーザは、所望の過去の画像を参照する際に、現在の画面表示レイアウトで映像の監視を継続しながら所望のカメラの過去の映像を参照することが可能となる。
【図面の簡単な説明】
【００３９】
【図１】本実施形態に係る映像監視システムの構成を示す模式図である。
【図２】本実施形態に係る映像監視プログラムの構成を示す模式図である。
【図３】複数のカメラによって取り込んだ映像のモニタへの表示例を示す図である。
【符号の説明】
【００４０】
１０…カメラ、２０…監視装置、２１…ＣＰＵ、２２…メモリ、２３…ＨＤＤ、２４…モニタインタフェース、２５…外部機器インタフェース、２６…ネットワークインタフェース、Ｎ…ネットワーク
【図１】
2007243267.tif 000003
【図２】
2007243267.tif 000004
【図３】
2007243267.tif 000005